(57)【要約】【課題】付勢機構に動作不良や故障が生じても、優れた応答性を確保できる複動型油圧シリンダの操作構造を提供する。【解決手段】制御部は、ピストンを中立位置側からシリンダチューブの一端側に移動させる際には、第一圧力制御弁のみを圧油供給状態に制御し、かつ、ピストンを中立位置側からシリンダチューブの他端側に移動させる際には、第二圧力制御弁のみを圧油供給状態に制御し、かつ、ピストンを一端側または他端側から中立位置側に移動させる際には、第一圧力制御弁及び第二圧力制御弁を圧油供給状態に制御する。【選択図】図６
2014070645.tif 000002
【特許請求の範囲】
【請求項１】
シリンダチューブと、前記シリンダチューブに内装されたピストンと、前記ピストンを中立位置に常時付勢する付勢機構と、二つの油室と、が備えられ、前記二つの油室に対する圧油の給排によって前記ピストンが往復移動して、被操作対象を操作可能な複動型油圧シリンダの操作構造であって、
前記二つの油室のうち第一油室に対して圧油を給排する第一圧力制御弁と、
前記二つの油室のうち第二油室に対して圧油を給排する第二圧力制御弁と、
前記ピストンの目標位置を指令する操作具と、
前記操作具によって指令された前記目標位置を検知する指令位置センサと、
前記ピストンの現位置を検知する現位置センサと、
前記目標位置及び前記現位置に基づいて、前記第一圧力制御弁及び前記第二圧力制御弁を制御する制御部と、が備えられ、
前記制御部は、
前記ピストンを前記中立位置側から前記シリンダチューブの一端側に移動させる際には、前記第一圧力制御弁のみを圧油供給状態に制御し、かつ、
前記ピストンを前記中立位置側から前記シリンダチューブの他端側に移動させる際には、前記第二圧力制御弁のみを圧油供給状態に制御し、かつ、
前記ピストンを前記一端側または前記他端側から前記中立位置側に移動させる際には、前記第一圧力制御弁及び前記第二圧力制御弁を圧油供給状態に制御する複動型油圧シリンダの操作構造。
【請求項２】
前記制御部は、
前記目標位置及び前記現位置に基づいて、前記目標位置と前記現位置との偏差、前記現位置が前記中立位置に対して一方側の領域及び他方側の領域のうち何れの領域に属するかを示す領域情報、及び、前記ピストンが現在移動している方向を示す方向情報を生成する操作情報生成部と、
前記偏差、前記領域情報及び前記方向情報に基づいて、前記第一圧力制御弁を圧油供給状態に制御するか、圧油排出状態に制御するか、及び、前記第二圧力制御弁を圧油供給状態に制御するか、圧油排出状態に制御するかの制御パターンを決定する制御パターン決定部と、
前記偏差、前記領域情報、前記方向情報、及び、前記制御パターンに基づいて、前記第一圧力制御弁及び前記第二圧力制御弁のうち前記制御パターン決定部によって圧油供給状態に制御することが決定された圧力制御弁を、前記偏差のみに基づいて制御するか、前記偏差及びその他の要素に基づいて制御するかの制御モードを決定する制御モード決定部と、
前記偏差、前記領域情報、前記方向情報、前記制御パターン、及び、前記制御モードに基づいて、前記第一圧力制御弁及び前記第二圧力制御弁に対する制御信号を生成する制御信号生成部と、が備えられている請求項１に記載の複動型油圧シリンダの操作構造。
【請求項３】
前記制御モード決定部は、
前記ピストンを前記中立位置側から前記一端側に移動させる際には、前記第一圧力制御弁を前記偏差及びその他の要素に基づいて制御することを決定し、かつ、
前記ピストンを前記中立位置側から前記他端側に移動させる際には、前記第二圧力制御弁を前記偏差及びその他の要素に基づいて制御することを決定し、かつ、
前記ピストンを前記一端側から前記中立位置側に移動させる際には、前記第一圧力制御弁を前記偏差及びその他の要素に基づいて制御すること、及び、前記第二圧力制御弁を前記偏差のみに基づいて制御することを決定し、
前記ピストンを前記他端側から前記中立位置側に移動させる際には、前記第二圧力制御弁を前記偏差及びその他の要素に基づいて制御すること、及び、前記第一圧力制御弁を前記偏差のみに基づいて制御することを決定する請求項２に記載の複動型油圧シリンダの操作構造。
【請求項４】
前記その他の要素は、前記偏差の積分値である請求項２または３に記載の複動型油圧シリンダの操作構造。
【請求項５】
前記その他の要素は、前記偏差の積分値及び前記偏差の微分値である請求項２または３に記載の複動型油圧シリンダの操作構造。
【請求項６】
前記被操作対象は、静油圧式無段変速装置または油圧機械式無段変速装置の油圧ポンプの斜板である請求項１から５の何れか一項に記載の複動型油圧シリンダの操作構造。
【発明の詳細な説明】
【技術分野】
【０００１】
本発明は、シリンダチューブと、前記シリンダチューブに内装されたピストンと、前記ピストンを中立位置に常時付勢する付勢機構と、二つの油室と、が備えられ、前記二つの油室に対する圧油の給排によって前記ピストンが往復移動して、被操作対象を操作可能な複動型油圧シリンダの操作構造に関する。
【背景技術】
【０００２】
従来から、このような複動型油圧シリンダの操作構造として、特許文献1に記載のように、作業車（例えば、トラクタ、草刈機）における静油圧式無段変速装置の油圧ポンプの斜板を操作する複動型油圧シリンダ（文献では、「変速シリンダ」）の操作構造があった。
【０００３】
この技術においては、複動型油圧シリンダのピストンを挟んだ二つの油室のうち第一油室に対して圧油を給排する第一圧力制御弁（文献では、「前進比例制御弁」）と、二つの油室のうち第二油室に対して圧油を給排する第二圧力制御弁（文献では、「後進比例制御弁」）と、ピストンの目標位置を指令する操作具（文献では、「変速ペダル」）と、操作具によって指令された目標位置を検知する指令位置センサ（文献では、「ペダルセンサ」）と、ピストンの現位置を検知する現位置センサ（文献では、「斜板センサ」）と、目標位置及び現位置に基づいて、第一圧力制御弁及び第二圧力制御弁の圧油給排状態を制御する制御部（文献では、「制御手段」）と、が備えられている。
【０００４】
ところで、特許文献1では特に記載はされていないが、このような複動型油圧シリンダの操作構造では、制御部は、中立位置とシリンダチューブの一端側との間でピストンを移動させる際には、第一圧力制御弁のみを圧油供給状態に制御し、かつ、中立位置とシリンダチューブの他端側との間でピストンを移動させる際には、第二圧力制御弁のみを圧油供給状態に制御するのが一般的である。
【０００５】
つまり、中立位置とシリンダチューブの一端側との間におけるピストンの移動では、第二圧力制御弁は使用されず（例えば、圧油排出状態とされる）、付勢機構による付勢力と第一圧力制御弁による油圧力との大小関係によってピストンは移動させられる。また、中立位置とシリンダチューブの他端側との間におけるピストンの移動では、第一圧力制御弁は使用されず（例えば、圧油排出状態とされる）、付勢機構による付勢力と第二圧力制御弁による油圧力との大小関係によってピストンは移動させられる。
【先行技術文献】
【特許文献】
【０００６】
【特許文献１】特開２００８−１３３８９６号公報（特に、段落００１６乃至００１９、図４参照）
【発明の概要】
【発明が解決しようとする課題】
【０００７】
しかし、このような従来の複動型油圧シリンダの操作構造であると、ピストンをシリンダチューブの一端側または他端側から中立位置側に移動させる際には、付勢機構による付勢力が第一圧力制御弁による油圧力または第二圧力制御弁による油圧力よりも大きな値である必要がある。即ち、ピストンを中立位置側へ移動させる制御は、付勢機構が正常な動作をするか否かに依存している。
【０００８】
したがって、フリクション（例えば、圧油中の異物が原因）によってピストンに動作不良が生じた場合や、付勢機構自体に故障が生じたような場合には、ピストンを中立位置側へ移動させることができなくなって制御不能な状態に陥ったり、ピストンの動きが緩慢となって応答性が悪くなったりする虞がある。
【０００９】
このような実情に鑑み、本発明は、付勢機構に動作不良や故障が生じても、優れた応答性を確保できる複動型油圧シリンダの操作構造を提供することを目的とする。
【課題を解決するための手段】
【００１０】
本発明の特徴は、
シリンダチューブと、前記シリンダチューブに内装されたピストンと、前記ピストンを中立位置に常時付勢する付勢機構と、二つの油室と、が備えられ、前記二つの油室に対する圧油の給排によって前記ピストンが往復移動して、被操作対象を操作可能な複動型油圧シリンダの操作構造であって、
前記二つの油室のうち第一油室に対して圧油を給排する第一圧力制御弁と、
前記二つの油室のうち第二油室に対して圧油を給排する第二圧力制御弁と、
前記ピストンの目標位置を指令する操作具と、
前記操作具によって指令された前記目標位置を検知する指令位置センサと、
前記ピストンの現位置を検知する現位置センサと、
前記目標位置及び前記現位置に基づいて、前記第一圧力制御弁及び前記第二圧力制御弁を制御する制御部と、が備えられ、
前記制御部は、
前記ピストンを前記中立位置側から前記シリンダチューブの一端側に移動させる際には、前記第一圧力制御弁のみを圧油供給状態に制御し、かつ、
前記ピストンを前記中立位置側から前記シリンダチューブの他端側に移動させる際には、前記第二圧力制御弁のみを圧油供給状態に制御し、かつ、
前記ピストンを前記一端側または前記他端側から前記中立位置側に移動させる際には、前記第一圧力制御弁及び前記第二圧力制御弁を圧油供給状態に制御する点にある。
【００１１】
本発明によると、ピストンをシリンダチューブの一端側または他端側から中立位置側に移動させる際には、第一圧力制御弁及び第二圧力制御弁が圧油供給状態となる。したがって、第二圧力制御弁の油圧力を付勢機構の付勢力と同じ方向向きの圧油力をピストンに作用させることが可能であるので、仮に、一端側から中立位置側へのピストンの移動の際に、付勢機構に動作不良や故障が生じたとしても、第二圧力制御弁の油圧力が付勢機構の付勢力を補助、補填可能である。同様に、仮に、他端側から中立位置側へのピストンの移動の際に、付勢機構に動作不良や故障が生じたとしても、第一圧力制御弁の油圧力が付勢機構の付勢力を補助、補填可能である。
【００１２】
このように、本発明であれば、付勢機構に動作不良や故障が生じても、優れた応答性を確保できる複動型油圧シリンダの操作構造を提供できる。
【００１３】
本発明において、
前記制御部は、
前記目標位置及び前記現位置に基づいて、前記目標位置と前記現位置との偏差、前記現位置が前記中立位置に対して一方側の領域及び他方側の領域のうち何れの領域に属するかを示す領域情報、及び、前記ピストンが現在移動している方向を示す方向情報を生成する操作情報生成部と、
前記偏差、前記領域情報及び前記方向情報に基づいて、前記第一圧力制御弁を圧油供給状態に制御するか、圧油排出状態に制御するか、及び、前記第二圧力制御弁を圧油供給状態に制御するか、圧油排出状態に制御するかの制御パターンを決定する制御パターン決定部と、
前記偏差、前記領域情報、前記方向情報、及び、前記制御パターンに基づいて、前記第一圧力制御弁及び前記第二圧力制御弁のうち前記制御パターン決定部によって圧油供給状態に制御することが決定された圧力制御弁を、前記偏差のみに基づいて制御するか、前記偏差及びその他の要素に基づいて制御するかの制御モードを決定する制御モード決定部と、
前記偏差、前記領域情報、前記方向情報、前記制御パターン、及び、前記制御モードに基づいて、前記第一圧力制御弁及び前記第二圧力制御弁に対する制御信号を生成する制御信号生成部と、が備えられていると好適である。
【００１４】
一般的に、偏差のみに基づいた制御（いわゆる「Ｐ制御」）では、偏差が「０」になると（現位置が目標位置になると）、制御部による制御は停止される。しかし、本発明では、ピストンは付勢機構の付勢力によって中立位置に常時付勢されているので、制御部が制御を停止するとピストンは中立位置側へ移動する。そして、現位置と目標位置との偏差が生じ、制御部による制御がなされる。つまり、制御部の制御による目標位置に近付く動作と、制御部の制御停止による目標位置から離れる動作とが繰り返され、結果的に、現位置と目標位置との間には、いわゆる「定常偏差」が残ることとなる。
【００１５】
しかし、本構成によれば、制御モード決定部において、偏差のみに基づく制御だけでなく、偏差及びその他の要素に基づく制御も選択可能であるので、定常偏差が極力少なくなり、現位置を目標位置に近づける事ができて制御精度が高まる。
【００１６】
本発明において、
前記制御モード決定部は、
前記ピストンを前記中立位置側から前記一端側に移動させる際には、前記第一圧力制御弁を前記偏差及びその他の要素に基づいて制御することを決定し、かつ、
前記ピストンを前記中立位置側から前記他端側に移動させる際には、前記第二圧力制御弁を前記偏差及びその他の要素に基づいて制御することを決定し、かつ、
前記ピストンを前記一端側から前記中立位置側に移動させる際には、前記第一圧力制御弁を前記偏差及びその他の要素に基づいて制御すること、及び、前記第二圧力制御弁を前記偏差のみに基づいて制御することを決定し、
前記ピストンを前記他端側から前記中立位置側に移動させる際には、前記第二圧力制御弁を前記偏差及びその他の要素に基づいて制御すること、及び、前記第一圧力制御弁を前記偏差のみに基づいて制御することを決定すると好適である。
【００１７】
本構成によれば、ピストンを中立位置側から一端側に移動させる際には、第二圧力制御弁は圧油排出状態にされ、圧油供給状態の第一圧力制御弁が偏差及びその他の要素に基づいて制御される。また、ピストンを中立位置側から他端側に移動させる際には、第一圧力制御弁は圧油排出状態にされ、圧油供給状態の第二圧力制御弁が偏差及びその他の要素に基づいて制御される。
【００１８】
つまり、ピストンを中立位置側から一端側または他端側に移動させる際には、第一圧力制御弁または第二圧力制御弁の一方のみが制御され、かつ、その圧力制御弁は偏差及びその他の要素に基づいて制御される。したがって、二つの圧力制御弁を制御するのと比較して簡単な制御で済み、かつ、定常偏差の少ない精度の良い制御が可能となる。
【００１９】
一方、ピストンを一端側から中立位置側に移動させる際には、圧油供給状態の第一圧力制御弁が偏差及びその他の要素に基づいて制御されると共に、圧油供給状態の第二圧力制御弁が偏差のみに基づいて制御される。また、ピストンを他端側から中立位置側に移動させる際には、圧油供給状態の第二圧力制御弁が偏差及びその他の要素に基づいて制御されると共に、圧油供給状態の第一二圧力制御弁が偏差のみに基づいて制御される。
【００２０】
つまり、ピストンを一端側または他端側から中立位置側に移動させる際には、付勢機構の付勢力と反対方向向きの圧油力をピストンに作用させる圧力制御弁を偏差及びその他の要素に基づいて制御し、かつ、付勢機構の付勢力と同じ方向向きの圧油力をピストンに作用させる圧力制御弁を偏差のみに基づいて制御する。
【００２１】
上述したように、偏差のみに基づくＰ制御では、偏差が「０」のときは何も制御がなされないので、現位置が目標位置に対して比較的精度良く追従しているような場合は、付勢機構の付勢力を補助する圧力制御弁は何の制御もされないこととなる。したがって、付勢機構に動作不良等が生じた場合や、付勢機構の容量が小さくて付勢力が足りないような場合のみに、付勢機構の付勢力を補助する圧力制御弁が制御され、何の問題も生じていない場合には、無駄な制御が行われない。
【００２２】
このように、圧力制御弁に対する圧油供給制御を、ピストンが位置する領域とピストンの移動方向とによって使い分けることにより、無駄のない制御が可能となる。
【００２３】
本発明において、
前記その他の要素は、前記偏差の積分値であると好適である。
【００２４】
本構成によると、制御モード決定部は、偏差のみによるＰ制御以外に、偏差と偏差の積分値とによる制御、いわゆるＰＩ制御を選択可能である。ＰＩ制御では、過去の偏差の変遷（積分値）が制御に反映されるので、Ｐ制御と比較して、現位置と目標位置との定常偏差が少なくなって、制御精度が向上する。
【００２５】
本発明において、
前記その他の要素は、前記偏差の積分値及び前記偏差の微分値であると好適である。
【００２６】
本構成によると、制御モード決定部は、偏差のみによるＰ制御以外に、偏差と偏差の積分値と偏差の微分値による制御、いわゆるＰＩＤ制御を選択可能である。ＰＩＤ制御では、過去の偏差の変遷（積分値）と偏差の増減の変化率（微分値）が反映されるので、Ｐ制御と比較して、現位置と目標位置との定常偏差が少なくなって、制御精度が向上する。
【００２７】
本発明において、
前記被操作対象は、静油圧式無段変速装置または油圧機械式無段変速装置の油圧ポンプの斜板であると好適である。
【００２８】
本構成によれば、被操作対象が、作業車等に比較的良く搭載される静油圧式無段変速装置または油圧機械式無段変速装置の油圧ポンプの斜板である。したがって、変速制御に無駄がなく、かつ、変速応答性の良い作業車とすることができる。
【図面の簡単な説明】
【００２９】
【図１】本発明を適用したＨＳＴの油圧回路図である。
【図２】ＨＳＴの側面図である。
【図３】油圧シリンダ周辺の断面図である。
【図４】斜板の側面図である。
【図５】油圧シリンダの操作構造を示すブロック図である。
【図６】入力情報と制御信号との関係を示す表である。
【図７】油圧シリンダの制御状態を示す模式図である。
【発明を実施するための形態】
【００３０】
以下に、本発明の複動型油圧シリンダの操作構造を、作業車の静油圧式無段変速装置（以下、「ＨＳＴ」と称する）の油圧ポンプの斜板を操作対象とする油圧シリンダに適用した例を、図面に基づいて説明する。
【００３１】
〔油圧シリンダ操作構造の全体構成について〕
図１及び図２に示すごとく、ＨＳＴ１００には、ＨＳＴケース１０５に収容された状態で、アキシャルプランジャ型の油圧ポンプ１０３及び油圧モータ１０４が備えられている。油圧ポンプ１０３は入力軸１０１に連結され、油圧ポンプ１０３は出力軸１０２に連結されている。油圧ポンプ１０３は、入力軸１０１から入力されたエンジン等の駆動源からの動力を斜板角度の変更により無段に変速する。油圧モータ１０４は、さらにその動力を斜板角度の変更により無段に変速する。本実施形態においては、油圧ポンプ１０３が主変速装置であり、油圧モータ１０４が副変速装置である。油圧ポンプ１０３の斜板角度の目標位置を指令する「操作具」としての主変速レバー４（図５参照）、及び、油圧モータ１０４の斜板角度の目標位置を指令する副変速レバーは、例えば、運転部に設けられている。
【００３２】
油圧ポンプ１０３と油圧モータ１０４とは循環油路１１０で連結されており、圧油が循環油路１１０を介して油圧ポンプ１０３と油圧モータ１０４との間を往来する。その流れの向きによって、動力を正転動力と逆転動力とに切り換えられる。これにより、例えば、前進状態と後進状態とを作り出せられる。油圧ポンプ１０３は、斜板角度が大きい程に、吐出量が多くなって、入力軸１０１から入力された動力は増速される。油圧モータ１０４は、斜板角度が大きい程に、出力軸１０２を一定回転させるのに必要な油量が多くなって、出力軸１０２から出力される動力は減速される。
【００３３】
入力軸１０１には、ギア式のチャージポンプ１０７が取付けられており、入力軸１０１の回転によってオイルパン１０６（例えば、ミッションケース）からオイルが吸い上げられる。チャージポンプ１０７と循環油路１１０とはチャージ油路１０９によって接続されており、油圧ポンプ１０３や油圧モータ１０４や循環油路１１０からオイルがリークしても、循環油路１１０では必要量のオイルが維持される。チャージポンプ１０７のオイル供給方向下手側にはオイルフィルタ１０８が取付けられており、濾過されたオイルがチャージ油路１０９に供給される。
【００３４】
ところで、油圧ポンプ１０３の斜板１２０（図２参照）の角度は、油圧シリンダ１の伸縮によって変更され、油圧シリンダ１は、電磁式の「第一圧力制御弁」としての第一バルブ２と、電磁式の「第二圧力制御弁」としての第二バルブ３との制御によって伸縮される。油圧モータ１０４の斜板角度は、油圧アクチュエータ１１４の伸縮によって変更され、油圧アクチュエータ１１４は圧力制御バルブ１１３，１１３の制御によって伸縮される。
【００３５】
チャージ油路１０９のうち、オイルフィルタ１０８よりもオイル供給方向下手側の箇所からポンプ用パイロット油路１１１及びモータ用パイロット油路１１２が分岐されている。そして、ポンプ用パイロット油路１１１は、第一バルブ２及び第二バルブ３に接続されている。第一バルブ２は、第一油路８を介して油圧シリンダ１の第一油室１４に接続され、第二バルブ３は、第二油路９を介して油圧シリンダ１の第二油室１５に接続されている。このような構成により、ポンプ用パイロット油路１１１からのオイルが、第一油室１４及び第二油室１５に供給され、この圧油の油圧力に基づいて油圧シリンダ１が伸縮される。また、モータ用パイロット油路１１２は、圧力制御バルブ１１３，１１３に接続されている。圧力制御バルブ１１３は、油路を介して油圧アクチュエータ１１４の油室に接続されている。このような構成により、モータ用パイロット油路１１２からのオイルが、油圧アクチュエータ１１４の油室に供給され、この圧油の油圧力に基づいて油圧アクチュエータ１１４が伸縮される。
【００３６】
〔油圧ポンプの具体的構造について〕
図３及び図４に示すごとく、油圧ポンプ１０３には斜板１２０が備えられている。斜板１２０は、入力軸１０１に対して、入力軸１０１の軸芯Ｌ回りに回転自在な状態、かつ、軸芯Ｌと直交する傾斜軸芯Ａ回りに揺動自在な状態で支持されている。一方、入力軸１０１には、ヘッド１２２が相対回転不能な状態で支持されている。ヘッド１２２には、循環油路１１０の一部が、軸芯Ｌと平行な状態で穿孔されている。この循環油路１１０の一部は、軸芯Ｌ回りに沿って、一定角度毎に間隔を空けて複数形成されている。これらの循環油路１１０にはピストン１２３が内挿されている。ピストン１２３は、軸芯Ｌに沿って循環油路１１０に対してスライド移動自在であり、かつ、不図示のスプリング等によって斜板１２０側に常時付勢されている。
【００３７】
ピストン１２３の斜板１２０側の先端には、ボールジョイント１２５（ユニバーサルジョイント）を介して、ベースプレート１２４が取付けられている。ベースプレート１２４は、斜板１２０の表面に対して相対移動可能である。
【００３８】
以上の構成により、斜板１２０が傾斜した状態で入力軸１０１が回転すると、ヘッド１２２を介して複数のピストン１２３も軸芯Ｌ回りに回転する。この際、ベースプレート１２４が斜板１２０の表面に沿って移動するので、斜板１２０の傾斜に沿ってピストン１２３が循環油路１１０（ヘッド１２２）に対して出退する。この結果、油圧ポンプ１０３はオイルの吸引と吐出とを行うことができる。
【００３９】
〔油圧シリンダの具体的構造について〕
図３に示すごとく、油圧シリンダ１には、シリンダチューブ１０と、シリンダチューブ１０に内装されて、シリンダチューブ１０の内周面に沿ってスライド移動可能なピストン１１と、ピストン１１を中立位置Ｎに常時付勢する「付勢機構」としてのスプリング１３と、が備えられている。シリンダチューブ１０は、ＨＳＴケース１０５のうち油圧ポンプ１０３の横隣に位置する箇所に孔を穿孔して構成されている。ピストン１１は、シリンダチューブ１０の内部の一端（図３における紙面上方側）から他端（図３における紙面下方側）の間で移動可能である。また、油圧シリンダ１には、ピストン１１を挟んで他端側に、上述した第一油室１４が備えられ、一端側には第二油室１５が備えられている。
【００４０】
この油圧シリンダ１の操作構造には、上述した主変速レバー４によって指令された目標位置を検知する「指令位置センサ」としてのポテンショメータ５と、ピストン１１の現位置を検知する「現位置センサ」としてのポテンショメータ６と、現位置及び目標位置に基づいて第一バルブ２及び第二バルブ３を制御する制御部７と、が備えられている。制御部７によって第一バルブ２及び第二バルブ３が制御されて、第一油室１４及び第二油室１５に圧油が給排され、ピストン１１が移動する。ポテンショメータ５及びポテンショメータ６は、極めて短い所定時間毎、もしくは、常時センシングするように設定されている。
【００４１】
ピストン１１の外周部には、操作溝１１ｂが形成されており、操作溝１１ｂには、斜板１２０の外周部に突設された操作部１２１が係合されている。したがって、ピストン１１が移動することにより、操作部１２１が操作され、結果的に斜板１２０が傾斜軸芯Ａ回りに揺動する（図４参照）。本実施形態では、ピストン１１が一端側（図３における紙面上方側）に位置する状態、即ち、図４に示す前進領域Ｆに斜板１２０が傾斜した状態で、作業車の不図示の走行装置は前進状態となるものとする。また、ピストン１１が他端側（図３における紙面下方側）に位置する状態、即ち、後進領域Ｒに斜板１２０が傾斜した状態で、走行装置は後進状態となるものとする。さらに、ピストン１１が中立位置Ｎに位置する状態、即ち、斜板１２０が中立位置Ｎとなった状態で、走行装置は停止状態となるものとする。
【００４２】
シリンダチューブ１０の開放端（図３における紙面上側端）は、シリンダカバー１９によって閉塞されている。シリンダカバー１９には、スプリング１３を外挿支持する支持ロッド１２が貫通支持されている。支持ロッド１２の端部１２ａが中間部分よりも拡径され、支持ロッド１２に付勢力調整ナット１６（ダブルナット）が締結され、スプリング１３の両端部の夫々は、カラー１７及びカラー１８を介して、端部１２ａと付勢力調整ナット１６とによって挟持されている。付勢力調整ナット１６を締めたり、緩めたりすることで、スプリング１３の付勢力を調整できる。
【００４３】
図２及び図３に示すごとく、ＨＳＴケース１０５には、油圧シリンダ１に隣接する状態でバルブケース１１５が取付けられている。第一バルブ２及び第二バルブ３は、バルブケース１１５に内装されている。バルブケース１１５とＨＳＴケース１０５（シリンダチューブ１０）とに亘って、第一バルブ２と第一油室１４とを接続する第一油路８が形成されると共に、第二バルブ３と第二油室１５とを接続する第二油路９が形成されている。また、バルブケース１１５には、ポテンショメータ６の検出アーム６ａが内装されている。なお、ピストン１１の外周部には、上述した操作溝１１ｂと並列状態で、検出アーム６ａが係合されるアーム係合溝１１ａが形成されている。
【００４４】
〔制御部の構成について〕
図５に示すごとく、制御部７には、操作情報生成部７０と、制御パターン決定部７１と、制御モード決定部７２と、制御信号生成部７３と、が備えられている。
【００４５】
ポテンショメータ５によって検知された目標位置及びポテンショメータ６によって現位置は、目標情報及び現位置情報として操作情報生成部７０に送られる。そして、操作情報生成部７０は、目標位置と現位置との偏差と、現位置が中立位置Ｎに対して前進領域Ｆ（本発明の「一方側の領域」）及び後進領域Ｒ（本発明の「他方側の領域」）のうち何れの領域に属するかを示す領域情報と、ピストン１１が現在移動している方向を示す方向情報とを生成する。生成された偏差と領域情報と方向情報とは、制御パターン決定部７１、制御モード決定部７２、及び、制御信号生成部７３に送られる。
【００４６】
なお、「偏差」としては、目標位置情報と現位置情報との差の絶対値や、この絶対値を増幅した値やこの絶対値の自然対数値等を用いることが考えられる。
【００４７】
また、「領域情報」は、現位置の値を用いることが考えられ、例えば、現位置の値が正値であれば、ピストン１１は「前進領域Ｆ」に位置しており、負値であれば、ピストン１１は「後進領域Ｒ」に位置していると判断することができる。
【００４８】
また、「方向情報」は、目標位置情報と現位置情報との差の正負値と領域情報との複合値等である。例えば、目標位置情報と現位置情報との差が「正」であり、かつ、ピストン１１が「前進領域Ｆ」に位置していれば、ピストン１１は現在、中立位置Ｎから前進領域Ｆ（シリンダチューブ１０の一端側）へ向けて動いていると判断できる。
【００４９】
また、図６に示すごとく、方向情報が、［中立位置Ｎから前進領域Ｆ（シリンダチューブ１０の一端側）への向き］のとき、及び、［中立位置Ｎから後進領域Ｒ（シリンダチューブ１０の他端側）への向き］のときは、走行装置は増速状態である。また、方向情報が、［前進領域Ｆ（シリンダチューブ１０の一端側）から中立位置Ｎへの向き］のとき、及び、［後進領域Ｒ（シリンダチューブ１０の他端側）から中立位置Ｎへの向き］のときは、走行装置は減速状態である。
【００５０】
制御パターン決定部７１は、偏差と領域情報と方向情報に基づいて、第一バルブ２を、圧油供給状態及び圧油排出状態のうち何れの状態に制御するか、及び、第二バルブ３を、圧油供給状態及び圧油排出状態のうち何れの状態に制御するか、の制御パターンを決定する。決定された制御パターンの情報は、制御モード決定部７２及び制御信号生成部７３に送られる。
【００５１】
制御モード決定部７２は、偏差と領域情報と方向情報と制御パターンの情報とに基づいて、制御パターン決定部７１によって圧油供給状態に制御することが決定されたバルブを、偏差のみに基づいて制御する（以下、「Ｐ制御」と称する）か、偏差及び偏差の積分値に基づいて制御するか（以下、「ＰＩ制御」と称する）の制御モードを決定する。決定された制御モードの情報は、制御信号生成部７３に送られる。
【００５２】
制御信号生成部７３は、偏差と領域情報と方向情報と制御パターンの情報と制御モードの情報とに基づいて、第一バルブ２及び第二バルブ３に対する制御信号を生成する。生成された制御信号は、第一バルブ２及び第二バルブ３に送られる。そして、第一バルブ２及び第二バルブ３が制御信号に基づいて制御されて、結果的に油圧シリンダ１が操作される。
【００５３】
〔制御信号について〕
図６及び図７に基づいて、制御部７に入力された入力値と制御信号生成部７３によって生成される制御信号との関係、及び、その際の油圧シリンダ１の制御状態を説明する。制御部７への入力値としては、偏差と領域情報と方向情報とである。偏差は、電流値の大小を決定する際等に使用されたりする。また、ピストン１１の操作指令量が大きく、ピストン１１を後進領域Ｒから前進領域Ｆに移動させるような場合は、下記のように、中立位置Ｎを挟んで、制御が変わるが、偏差を予め勘案していることにより、少し先の状態を見込んだ好適な制御を行うことができる。
【００５４】
図６の（ａ）欄及び図７（ａ）に示すごとく、ピストン１１が前進領域Ｆと中立位置Ｎとの間に位置し、かつ、ピストン１１が現在、中立位置Ｎから前進領域Ｆに向けて移動している場合、制御部７は、第一バルブ２を圧油供給状態にしてＰＩ制御モードで制御し、かつ、第二バルブ３を圧油排出状態にする。この場合は、スプリング１３の中立位置Ｎ側への付勢力に、第一バルブ２による油圧力が勝って、ピストン１１は中立位置Ｎから前進領域Ｆに向けて移動する。これにより、斜板１２０は図７（ａ）の白抜き矢印の向きに揺動して傾斜する。
【００５５】
図６の（ｂ）欄及び図７（ｂ）に示すごとく、ピストン１１が前進領域Ｆと中立位置Ｎとの間に位置し、かつ、ピストン１１が現在、前進領域Ｆから中立位置Ｎに向けて移動している場合、制御部７は、第一バルブ２を圧油供給状態にしてＰＩ制御モードで制御し、かつ、第二バルブ３を圧油供給状態にしてＰ制御モードで制御する。この場合は、スプリング１３の中立位置Ｎ側への付勢力に、第一バルブ２による油圧力が負けて、ピストン１１は前進領域Ｆから中立位置Ｎに向けて移動する。これにより、斜板１２０は図７（ｂ）の白抜き矢印の向きに揺動して傾斜する。そして、第二バルブ３がＰ制御されるので、例えば、スプリング１３に作動不良や故障が生じた場合のみ、第二バルブ３による油圧力がスプリング１３の付勢力を補助、補填し、ピストン１１（斜板１２０）の応答性が落ちることがない。
【００５６】
図６の（ｃ）欄及び図７（ｃ）に示すごとく、ピストン１１が後進領域Ｒと中立位置Ｎとの間に位置し、かつ、ピストン１１が現在、中立位置Ｎから後進領域Ｒに向けて移動している場合、制御部７は、第一バルブ２を圧油排出状態にし、かつ、第二バルブ３を圧油供給状態にしてＰＩ制御モードで制御する。この場合は、スプリング１３の中立位置Ｎ側への付勢力に、第二バルブ３による油圧力が勝って、ピストン１１は中立位置Ｎから後進領域Ｒに向けて移動する。これにより、斜板１２０は図７（ｃ）の白抜き矢印の向きに揺動して傾斜する。
【００５７】
図６の（ｄ）欄及び図７（ｄ）に示すごとく、ピストン１１が後進領域ＲＦと中立位置Ｎとの間に位置し、かつ、ピストン１１が現在、後進領域ＲＦから中立位置Ｎに向けて移動している場合、制御部７は、第一バルブ２を圧油供給状態にしてＰ制御モードで制御し、かつ、第二バルブ３を圧油供給状態にしてＰＩ制御モードで制御する。この場合は、スプリング１３の中立位置Ｎ側への付勢力に、第二バルブ３による油圧力が負けて、ピストン１１は後進領域ＲＦから中立位置Ｎに向けて移動することになる。これにより、斜板１２０は図７（ｄ）の白抜き矢印の向きに揺動して傾斜する。そして、第一バルブ２がＰ制御されるので、例えば、スプリング１３に作動不良や故障が生じた場合のみ、第一バルブ２による油圧力がスプリング１３の付勢力を補助、補填し、ピストン１１（斜板１２０）の応答性が落ちることがない。
【００５８】
〔別実施形態について〕
（１）上述の実施形態では、スプリング１３の付勢力に抗する圧油力を生み出すバルブを、ＰＩ制御する構成としたが、このバルブをＰ制御やＰＩＤ制御する構成であっても良い。
【００５９】
（２）上述の実施形態では、スプリング１３の付勢力を補助、補填するバルブをＰ制御する構成としたが、この制御がＰＩ制御やＰＩＤ制御であっても良い。
【産業上の利用可能性】
【００６０】
本発明は、コンバイン、トラクタ、田植機、草刈機、建設機械等の作業車の静油圧式無段変速装置の油圧ポンプの斜板だけでなく、作業車の油圧機械式無段変速装置の油圧ポンプの斜板にも適用可能であり、また、油圧ポンプの斜板でなくとも可変容量型の油圧モータの斜板や、作業装置を昇降させる昇降シリンダの操作構造等にも適用可能である。
に適用できる。
【符号の説明】
【００６１】
１      油圧シリンダ
２      第一バルブ（第一圧力制御弁）
３      第二バルブ（第二圧力制御弁）
４      主変速レバー（操作具）
５      ポテンショメータ（指令位置センサ）
６      ポテンショメータ（現位置センサ）
７      制御部
１０    シリンダチューブ
１１    ピストン
１３    スプリング（付勢機構）
１４    第一油室
１５    第二油室
７０    操作情報生成部
７１    制御パターン決定部
７２    制御モード決定部
７３    制御信号生成部
１００  ＨＳＴ（静油圧式無段変速装置）
１２０  斜板（被操作対象）
【図１】
2014070645.tif 000003
【図２】
2014070645.tif 000004
【図３】
2014070645.tif 000005
【図４】
2014070645.tif 000006
【図５】
2014070645.tif 000007
【図６】
2014070645.tif 000008
【図７】
2014070645.tif 000009